(57)【要約】【課題】低コストで小サイズ印刷物の積載落下時の安定性を向上させて良好な排紙揃えを行える小サイズ印刷物のアタッチメントを提供する。【解決手段】印刷装置１の排紙台３に排出される小サイズ印刷物７０に用いるアタッチメント１０は、排紙台の載置面３Ａよりも上方に、排出された小サイズ印刷物７０を載置する底部１５と、排紙台に設けられた一対のサイドフェンス４，５とそれぞれ対向し、サイドフェンスの間隔Ｗよりも狭い間隔を有する一対のインナフェンス部１３Ｂ、１４Ｂとを備えている。【選択図】                      図１
2004189398.tif 000002
【特許請求の範囲】
【請求項１】
印刷装置の排紙台に排出される小サイズ印刷物に用いるアタッチメントであって、
前記排紙台の載置面よりも上方に、排出された小サイズ印刷物を載置する底部を有することを特徴とする小サイズ印刷物用アタッチメント。
【請求項２】
請求項１記載の小サイズ印刷物用アタッチメントにおいて、
前記排紙台に設けられた一対のサイドフェンスとそれぞれ対向し、前記サイドフェンスの間隔よりも狭い間隔となる一対のインナフェンス部を有することを特徴とする小サイズ印刷物用アタッチメント。
【請求項３】
請求項２記載の小サイズ印刷物用アタッチメントにおいて、
前記サイドフェンスにそれぞれ装着可能な一対のフレームと、各フレームにそれぞれ取付けられて前記底部及び前記インナフェンス部を形成する一対の側板とを有することを特徴とする小サイズ印刷物用アタッチメント。
【請求項４】
請求項３記載の小サイズ印刷物用アタッチメントにおいて、
前記各側版を取付けたフレーム部を前記各サイドフェンスに装着した際に、前記底部が分割可能であることを特徴とする小サイズ印刷物用アタッチメント。
【請求項５】
請求項３または４記載の小サイズ印刷物用アタッチメントにおいて、
前記フレーム部は、各サイドフェンスの上部にそれぞれ係合する装着部を有することを特徴とする小サイズ印刷物用アタッチメント。
【請求項６】
請求項３、４または５記載の小サイズ印刷物用アタッチメントにおいて、
前記側板の、前記印刷装置の排紙口近傍に位置する部位に、前記排出口から排出された小サイズ印刷物を各インナフェンス部へと案内するガイド部がそれぞれ形成されていることを特徴とする小サイズ印刷物用アタッチメント。
【請求項７】
請求項１ないし６の何れか１つに記載の小サイズ印刷物用アタッチメントが装着可能であり、印刷装置から排出される印刷物のうち、大サイズ印刷物を積載する排紙台であって、
排出された大サイズ印刷物の両縁を揃える一対のサイドフェンスと、このサイドフェンスの間に進入可能であって、排出された大サイズ印刷物の先端が衝突するエンドフェンスとを有し、
前記エンドフェンスは、前記小サイズ印刷物用アタッチメントが前記サイドフェンスに装着されたときに、前記印刷装置から排出される小サイズ印刷物の先端が衝突するインナエンドフェンスとして機能することを特徴とする排紙台。
【発明の詳細な説明】
【０００１】
【発明の属する技術分野】
本発明は、印刷装置から排出されるハガキや封筒これらに類似する大きさの小サイズ印刷物を積載するための小サイズ印刷物用アタッチメントに関する．
【０００２】
【従来の技術】
印刷装置の排紙台には、装置から排出された用紙の先端が衝突するエンドフェンスと、用紙の両端を揃えるサイドフェンスが設けられている。サイドフェンスとエンドフェンスは、用紙サイズに応じてその位置を調整できるように移動自在となっている。しかし、全ての用紙サイズに対応することは難しいので、サイドフェンスやエンドフェンスは、印刷使用頻度の高い、Ａ３からＢ５等の比較的サイズの大きい印刷物に対応した大きさに設定されている。
【０００３】
ハガキや封筒に代表される小サイズ印刷物を印刷装置から排出する場合、常設の排紙台を使用せずに小サイズ印刷物専用の小サイズ印刷物専用のプリストッカーと称する収納装置を設置することが特許文献１で提案されている。この装置は、常設の排紙台に取付けて使用する方式のため、排紙台をその都度取り除く面倒さが無い。また、この装置は裏うつり問題を解決するために、機械的にコイルバネ状の搬送体を４本立ててモーターで回転駆動させ、印刷された小サイズ印刷物を１枚ずつ重ね合わせることなく上昇させて収納、積載するように構成されている。
【０００４】
構成のシンプル化、簡便さを備えた小サイズ印刷物用の排紙ボックスの提案が特許文献２で提案されている。この排紙ボックスは、印刷装置の排出口から排出される小サイズ印刷物を受け入れる受入口と、受入口の内部下方には小サイズ印刷物より若干大きい面積を有し、小サイズ印刷物が自然に落下して積載できる収容部とを備え、受入口から進入した小サイズ印刷物の先端が突き当たるところに、衝突面が高摩擦面とされた専用のエンドフェンスを配置している。収納部は、小サイズ印刷物の下面を支持する底板と、その両側に位置し小サイズ印刷物の両サイドを案内するサイドフェンスとから形成されている。サイドフェンスには、印刷装置の排出側へ突出するガイド板が設けられていて、排出口側へ向けて拡げられている。排紙ボックスには、排紙台の底板上の隙間に差込み、排紙ボックスの位置決めを行う位置決め部材が設けられている。サイドフェンスの一方は、開閉可能となっており、排紙ボックス内に収納された小サイズ印刷物を取り出せるように構成されている。
【０００５】
【特許文献１】
特開平８−２７７１号公報
【特許文献２】
特開２０００−６３０２６号公報
【０００６】
【発明が解決しようとする課題】
従来の排紙台では、ハガキや封筒等の小サイズ印刷物を排紙する場合、そのサイズに合うよう各フェンスの位置を調整するわけだが、印刷物排出方向のサイズについてはエンドフェンスの移動で調整するため、エンドフェンスの幅が小サイズ印刷物の幅を超える場合、印刷物排出方向と直交する方向のサイズとなるサイドフェンスの間隔がエンドフェンスの幅で決められてしまう。このため、印刷物とサイドフェンスとの間に隙間が生じてしまい、排出された印刷物が落下する際にずれ易く、整然と揃えることが困難である。また、このずれが生じることによって先に積載されている印刷物の画像のインクが後の印刷物の裏面に付着してしまうという問題もある。
【０００７】
特許文献１に記載の装置においては、裏うつりの防止という点では優れている反面、使用頻度の少ない割には、構成が複雑で自動化されているので、コスト高となってしまうので、常設の排紙台同様のシンプルさ、簡便さ、低コストが強く要求されるところである。
特許文献２に記載の装置では、常設の排紙台の載置面上に設置することにより、小サイズ印刷物が排出される排出口の位置と積載される面の位置が、常設の排紙台と略同じ高さと成るので、小サイズ印刷物がエンドフェンスに衝突した後、自由落下する距離が長く、小サイズ印刷物が不安定に落下し、排紙揃えに悪影響を及ぼすことが懸念される。
【０００８】
本発明は、低コストで小サイズ印刷物の積載落下時の安定性を向上させて良好な排紙揃えを行える小サイズ印刷物のアタッチメントを提供することを目的とする。
本発明は、低コストで小サイズ印刷物の積載落下時の安定性を向上させて良好な排紙揃えを行いつつ、排紙台への着脱の容易さを追求して構成のシンプルな小サイズ印刷物のアタッチメントや排紙台を提供することを目的とする。
【０００９】
【課題を解決するための手段】
上記目的を達成するため、請求項１にかかる発明では、印刷装置の排出口から排出された小サイズ印刷物の先端がエンドフェンスに衝突した後の自然落下時の安定性を向上させるために、印刷装置の排紙台に排出される小サイズ印刷物に用いるアタッチメントであって、排紙台の載置面よりも上方に、排出された小サイズ印刷物を載置する底部を位置させて、小サイズ印刷物の落下距離を少なくした。
【００１０】
請求項２にかかる発明では、請求項１記載の小サイズ印刷物用アタッチメントにおいて、排紙台のエンドフェンスを使用可能とするため、排紙台に設けられた一対のサイドフェンスとそれぞれ対向するように一対のインナフェンス部を有し、このインナフェンス部の間隔をサイドフェンスの間隔よりも狭くした。
【００１１】
請求項３にかかる発明では、請求項２記載の小サイズ印刷物用アタッチメントにおいて、各サイドフェンスにそれぞれ装着可能な一対のフレーム部と、各フレーム部にそれぞれ取付けられて底部及びインナフェンス部を形成する一対の側板とを有し、簡素な構成としている。
【００１２】
請求項４にかかる発明では、請求項３記載の小サイズ印刷物用アタッチメントにおいて、各側版を取付けたフレーム部を各サイドフェンスに装着した際に、底部が分割可能であることを特徴としている。
【００１３】
請求項５記載の発明では、請求項３または４記載の小サイズ印刷物用アタッチメントにおいて、各フレームが、各サイドフェンスの上部にそれぞれ係合する装着部を有している。
【００１４】
請求項６記載の発明では、請求項３、４または５記載の小サイズ印刷物用アタッチメントにおいて、各側板の、印刷装置の排紙口近傍に位置する部位に、排出口から排出された小サイズ印刷物を各インナフェンス部へと案内するガイド部を設けている。
【００１５】
請求項７記載の発明では、請求項１ないし６の何れか１つに記載の小サイズ印刷物用アタッチメントが装着可能であり、印刷装置から排出される印刷物のうち、大サイズ印刷物を積載する排紙台であって、排出された大サイズ印刷物の両縁を揃える一対のサイドフェンスと、このサイドフェンスの間に進入可能であって、排出された大サイズ印刷物の先端が衝突するエンドフェンスとを有し、小サイズ印刷物用アタッチメントがサイドフェンスに装着されたときに、印刷装置から排出される小サイズ印刷物の先端が衝突するインナエンドフェンスとしてエンドフェンスが機能することを特徴としている。
【００１６】
【発明の実施の形態】
以下、本発明の実施の形態について図面を用いて説明する。
図１に示す印刷装置１には、その内部構成により印刷された印刷物を排出する排出口２が形成されている。排出口２の下方には、排出口２から排出される印刷物の内、大サイズの印刷物７を収納、積載する常設の排紙台３が備えられている。排紙台３は、小サイズ印刷物用アタッチメント１０（以下「アタッチメント１０」と記す）が装着可能となっている。排紙台３には、図３に示すように、排出された印刷物７の両縁７Ａ，７Ｂを揃える一対のサイドフェンス４，５と、排出された印刷物７の先端７Ｃが衝突するエンドフェンス６とを備えている。エンドフェンス６は、排紙台３の印刷物排出方向側に配置され、図示しないレール部材を介してサイドフェンス４，５の間に対して進退する向きに移動自在とされている。サイドフェンス４，５は、図示しないレール部材を介して印刷物排出方向と同一平面内において直交する幅方向に移動自在とされている。
【００１７】
アタッチメント１０は、図１、図３に示すように、サイドフェンス４，５にそれぞれ装着可能な一対のフレーム１１，１２と、各フレーム１１，１２にそれぞれ取付けられる一対の側板１３，１４とを備えていて、排出口２から小サイズの印刷物７０が排出される際に用いるものである。
【００１８】
フレーム１１，１２は、図５に示すように、１本の金属線材から構成されていて、その両端が同一方向に位置するように正面から見て略Ｕ字状に形成されている。フレーム１１，１２は、Ｕ字状の開口側が末広がりとされている。フレーム１１，１２のＵ字状の湾曲部には、サイドフェンス４，５の上部に上方より挿入することでそれぞれサイドフェンス４，５に係合する装着部としてのフック部１１Ａ，１２Ａが形成されている。フレーム１１，１２の中央は、サイドフェンス４，５への装着時に、図１に示すように、サイドフェンス４，５との間に空間Ｓ１，Ｓ２を形成するための段差部１１Ｂ，１２Ｂが形成されている。フレーム１１，１２の開口側の先端１１Ｃ，１２Ｃは、サイドフェンス４，５の装着時に排紙台３の中央に向かうようにそれぞれ略直角に折り曲げられている。
【００１９】
側板１３，１４は、図１に示すように断面略Ｌ字型をなし、短辺部を底面１３Ａ，１４Ａとしている。側板１３，１４は、底面１３Ａ，１４Ａが互いに対向するようにフレーム１１，１２に装着されている。側板１３，１４はサイドフェンス４，５の双方に使用可能となるように対象形状とされている。底面１３Ａ，１４Ａは、印刷物７０が積載される底部１５を形成する。底面１３Ａ，１４Ａとつながる側板１３，１４の長辺部はインナフェンス部１３Ｂ，１４Ｂを構成し、互いに略平行に対向配置され、サイドフェンス４，５とそれぞれ対向してサイドフェンス４，５の間隔Ｗよりも狭い間隔Ｗ１とされている。底面１３Ａ，１４Ｂには、フレーム１１，１２の先端１１Ｃ，１２Ｃを挿入する穴を形成した支持部１３Ｃ，１４Ｃが切り起こされてそれぞれ形成されている。インナフェンス部１３Ｂ，１４Ｂの両端には、フレーム１１，１２の広がりを横方向から押さえ込むフランジ１３Ｄ，１４Ｄが形成されている。側板１３，１４の上部には、排出口２から排出された印刷物７０をインナフェンス部１３Ｂ，１４Ｂへと案内するガイド部１６，１７が形成されている。このガイド部１６，１７は、図１に示すように排出口２側から見てインナフェンス部１３Ｂ，１４Ｂよりも外側に位置するように、サイドフェンス４，５に向かって屈曲されていると共に、図３，図４に示すように、平面視において印刷物排出方向と排紙口３側に位置する両端１６Ａ，１７Ａおよび１６Ｂ，１７Ｂが、それぞれ平面視においてインナフェンス部１３Ｂ，１４Ｂよりもサイドフェンス４，５に向かって屈曲されて広がるように屈曲されている。すなわち、ガイド部１６，１７は、印刷物７０の幅より広がる方向に角度を持って形成されていて、印刷物７０のインナフェンス部１３Ｂ，１４Ｂへの侵入を容易にしている。
【００２０】
アタッチメント１０は、載置面３Ａと底部１５との間に空間が形成されるようにサイドフェンス４，５に装着され、排紙台３の載置面３Ａよりも上方に底部１５が位置するように構成されている。底部１５は、側版１３，１４を取付けたフレーム１１，１２を各サイドフェンス４，５に装着し、最小幅まで狭めたときに底面１３Ａ，１４Ａが連続する長さとされている。このため、最小幅以外の時には、底面１３Ａ、１４Ａの間に隙間Ｓが形成される。
【００２１】
フレーム１１，１２をフランジ１３Ｄ，１４Ｄよりも内側まで撓ませて、先端１１Ｃ、１２Ｃを支持部１３Ｃ，１４Ｃの穴に挿入する。撓み方向への力を解除すると、フレーム１１，１２の復元がフランジ１３Ｄ，１４Ｄによって抑え込まれるため、フレーム１１，１２と側板１３，１４とが、先端１１Ｃ，１２Ｃと支持部１３Ｃ，１４Ｃとの係合とフレーム１１，１２の弾性力によって一体化される。
【００２２】
このような構成のアタッチメント１０は、印刷物７よりもその大きさが小さい印刷物７０に対する印刷を行う前に、予め排紙台３にセットする。具体的には、フック部１１Ａ，１２Ａをそれぞれサイドフェンス４，５の上部に上方から差し込むことにより、排紙台３のサイドフェンス４，５に装着する。
【００２３】
フック部１１Ａ，１２Ａをサイドフェンス４，５の上部に差し込む場合、両者の位置が合わないと、側板１３，１４が印刷物排出方向にずれてしまうので、サイドフェンス４，５には、フック部１１Ａ，１２Ａと当接して、その位置決めを行う位置決め部材としての凸部２０，２１を配設するのが好ましい。無論この凸部２０，２１は、印刷物排出方向において、サイドフェンス４，５の端部から同一の位置に配置するのが好ましい。
【００２４】
従来は排紙台３のエンドフェンス６の幅より小サイズの印刷物７０を排紙台３に収納・積載する場合、エンドフェンス６の幅までしかサイドフェンス４，５の位置を調整できず、印刷物７０のサイズまで調整することが不可能であった。しかし、アタッチメント１０のインナフェンス部１３Ｂ，１４Ｂとサイドフェンス４，５との間にそれぞれ隙間Ｓ１，Ｓ２を設けることにより、すなわち、側板１３，１４の間隔Ｗ１をサイドフェンス４，５の間隔Ｗよりも狭くすることで、エンドフェンス６の幅より小さな印刷物７０に対しても、エンドフェンス６をサイドフェンス４，５の間に位置させた状態で対応することができ、エンドフェンス６を小サイズの印刷物７０のインナエンドフェンスしても機能させることができる。このため、従来のように印刷物７０専用のエンドフェンスを設けなくて済み、コスト低減を図れる。排出される印刷物７０の幅に対する、側板１３，１４の位置調整は、サイドフェンス４，５を幅方向に移動させることで行える。本形態において、印刷物７０としては、幅が最小７０ｍｍの例えばビール券のような印刷物まで対応可能である。エンドフェンス６のスライド量は、印刷物７０の印刷物排出方向への長さが１９０ｍｍ以下であれば最小値までスライドさせる。１９０ｍｍ以上長さを持つ印刷物７０の場合には、エンドフェンス６の位置を排出口２から離れる側に移動して例えばＡ４サイズの位置に合わせる。
【００２５】
印刷物７０の幅にアタッチメント１０の側板１３，１４がサイドフェンス４，５毎に調整され、エンドフェンス６が印刷物７０の排出方向のサイズに調整された排紙台３において、印刷装置１から排出される印刷物７０の位置がずれていても、印刷物７０をガイドするガイド板１６，１７により容易に排紙台３からエンドフェンス６まで飛び、印刷物７０の先端がエンドフェンス６に衝突する。エンドフェンス６に高摩擦部材を貼付しておくと、印刷装置同等の性能で印刷物７０の衝突を吸収でき、印刷物７０のはね返りを防止することができる。衝突した印刷物７０が若干の位置ずれを発生してもガイド部１６，１７により、側板１３，１４の間に形成される収納空間内に収納される。アタッチメント１０の底部１５は、載置面３Ａよりも上方に位置しているので、印刷物７０の落下距離が短くなる。このため、印刷物７０の落下時の不安定さが改善され、整然とアタッチメント１０内に収納・積載することができる。アタッチメント１０の底部１５が、それぞれ独立している側板１３，１４の底面１３Ａ、１４Ａによって分割可能に構成されているので、印刷物７０の幅に合わせて、アタッチメント１０が装着されたサイドフェンス４，５を移動しても、印刷物７０の幅に合う底部１５を形成することができる。本形態において、印刷物７０がビール券の場合、底面１３Ａ，１４Ａは互いに当接して連続するので、底部１５の中央部に形成される隙間Ｓはなくなる。ビール券以上の幅を持つ小サイズの印刷物７０を排出する場合は、底部１５の中央部分に隙間Ｓが発生するが、印刷物７０の両側は底面１３Ａ，１４Ａにより充分に積載することができるので、この隙間Ｓから印刷物７０が下方へ落下する恐れは無い。したがって、様々な大きさの小サイズの印刷物７０を収納・積載することができることになる。
【００２６】
上記実施の形態では、アタッチメント１０をフレーム１１，１２によって、サイドフェンス４，５に吊り下げることで、底部１５と排紙台３の載置面３Ａとの間に空間を形成して、載置面３Ａよりも上方に底部１５を配置しているが、このような形態に限定されるものではない。例えば、底部１５の位置を載置面３Ａよりも上方に位置する手段としては、側板１３，１４とは別に載置面３Ａの上部に台となる部材を設けてスペースを設けても良い。また、本形態では、フレーム１１，１２の一部を屈曲してフック部１１Ａ、１２Ａを形成してサイドフェンス４，５に引っ掛けているが、例えば、サイドフェンス４，５に幅方向に向かって穴を設け、サイドフェンス４，５の内側よりその穴にフレーム１１，１２の一部を差し込んでアタッチメント１０のサイドフレーム４，５への装着と位置決めを行うようにしてもよい。
【００２７】
【発明の効果】
本発明によれば、排出された小サイズ印刷物を載置する底部が排紙台の載置面よりも上方に位置するので、小サイズ印刷物の落下高さが低くなり、落下時の不安定さが改善されて小サイズ印刷物がアタッチメント内に整然と収納・積載することができる。
本発明によれば、サイドフェンスの間隔よりも狭い一対のインナフェンス部を有するので、エンドフェンスの幅が小サイズ印刷物の幅を超える場合でも、インナフェンス部で小サイズ印刷物を案内することができ、印刷物落下時のずれを抑えて整然と揃えることができる。
本発明によれば、底部及びインナフェンス部を形成する一対の側板を取付けたフレーム部を各サイドフェンスに装着した際に、底部が分割可能であるので、サイドフェンスを移動することで側板の間隔を変更することができ、様々な小サイズ印刷物に対応することができる。
本発明によれば、フレーム部が各サイドフェンスの上部にそれぞれ係合する装着部を有するので、排紙台に容易に設置することができる。
本発明によれば、印刷装置の排出口から排出された小サイズ印刷物を各インナフェンス部へと案内するガイド部を有しているので、排出口から排出される小サイズ印刷物の位置がずれていてもアタッチメントに導くことができ、より安定してアタッチメント内に整然と収納・積載することができる。
本発明によれば、小サイズ印刷物用アタッチメントが前記サイドフェンスに装着されたときに、大サイズ印刷物の先端が衝突するエンドフェンスが、小サイズ印刷物の先端が衝突するインナエンドフェンスとして機能するので、部品の共通化を図れコストを低減となる。
【図面の簡単な説明】
【図１】小サイズ印刷物用アタッチメントを装着した排紙台を排紙口側から見たみた図である。
【図２】印刷装置に取付けられた排紙台の状態を示す図である。
【図３】小サイズ印刷物用アタッチメントが装着された排紙台の平面図である。
【図４】小サイズ印刷物用アタッチメントの組み立て状態を示す斜視図である。
【図５】小サイズ印刷物用アタッチメントのフレーム部の構成を示す斜視図である。
【図６】小サイズ印刷物排紙アタッチメントの側板の構成を示す斜視図である
【符号の説明】
１    印刷装置
２    排紙口
３    排紙台
３Ａ    載置面
４，５    サイドフェンス
６    エンドフェンス（インナエンドフェンス）
７    大サイズ印刷物
１０    アタッチメント
１１，１２    フレーム
１１Ａ，１１Ｂ    装着部
１３，１４    側板
１３Ｂ，１４Ｂ    インナフェンス部
１５    底部
１６，１７    ガイド部
７０    小サイズ印刷物
Ｗ    サイドフェンスの間隔
Ｗ１  インナフェンス部の間隔
【図１】
2004189398.tif 000003
【図２】
2004189398.tif 000004
【図３】
2004189398.tif 000005
【図４】
2004189398.tif 000006
【図５】
2004189398.tif 000007
【図６】
2004189398.tif 000008